(57)【要約】【課題】印刷画像と投影画像をユーザーが効率的に決定できる画像編集装置を提供すること。【解決手段】表示条件と、使用される使用機器の特性を元に重畳画像を作成し、その重畳画像を表示するための基準の印刷画像と基準の投影画像を作成する印刷／投影画像生成手段と、前記基準の印刷画像の色成分を変化させるための印刷条件を入力する印刷条件入力手段と、前記印刷条件と前記使用される使用機器の特性を元に同じ重畳画像を表示し得る複数の印刷候補画像を出力する印刷候補画像生成手段と、前記重畳画像と前記印刷候補画像とを合わせて表示する表示画像生成手段と、前記印刷候補画像の一つを選択印刷画像として選択する画像選択入力手段と、を持ち、前記印刷候補画像生成手段は、前記画像選択入力手段により選択された選択印刷画像とその選択印刷画像に対応する選択投影画像を出力することを特徴とする。【選択図】図１
2019129465.tif 000002
【特許請求の範囲】
【請求項１】
印刷物と投影の組み合わせで表示を行うシステムにおける印刷画像と投影画像を生成するための画像編集装置であって、
表示条件を入力する表示条件入力手段と、
使用される機器の特性を入力する機器特性入力手段と、
前記表示条件と、前記使用される使用機器の特性を元に重畳画像を作成し、その重畳画像を表示するための基準の印刷画像と基準の投影画像を作成する印刷／投影画像生成手段と、
前記基準の印刷画像の色成分を変化させるための印刷条件を入力する印刷条件入力手段と、
前記印刷条件と前記使用される使用機器の特性を元に同じ重畳画像を表示し得る複数の印刷候補画像を出力する印刷候補画像生成手段と、
前記重畳画像と前記印刷候補画像とを合わせて表示する表示画像生成手段と、
前記印刷候補画像の一つを選択印刷画像として選択する画像選択入力手段と、
を持ち、前記印刷候補画像生成手段は、前記画像選択入力手段により選択された選択印刷画像とその選択印刷画像に対応する選択投影画像を出力することを特徴とする画像編集装置。
【請求項２】
前記印刷候補画像生成部は、前記印刷条件に基づいて複数の印刷画像を生成し、前記複数の印刷画像のうち、前記重畳画像を表示するために対応する投影可能な投影画像が存在する場合に印刷画像を印刷候補画像として出力することを特徴とする請求項１に記載の画像編集装置。
【請求項３】
前記印刷候補画像生成部は、前記印刷条件に基づく複数の印刷候補画像をリストとして前記表示画像生成手段に出力することを特徴とする請求項１又は請求項２に記載の画像編集装置。
【請求項４】
前記印刷条件入力手段は、前記基準の印刷画像の色成分を変更するためのパラメータを前記印刷候補画像生成部に入力することを特徴とする請求項１又は請求項２に記載の画像編集装置。
【発明の詳細な説明】
【技術分野】
【０００１】
本発明は、印刷物に関連する画像を印刷物上に投影しハイダイナミックレンジの画像を生成するシステムにおいて、特に、印刷物と対応する画像を編集する編集装置に関する。
【背景技術】
【０００２】
近年、デジタルカメラ等で撮影した画像を高いダイナミックレンジを持ったハイダイナミックレンジ画像（ＨＤＲ画像）を扱う機会が増えてきている。このような画像を高いダイナミックレンジを保ったまま表示するためには、表示デバイスにも高いダイナミックレンジ性能が要求される。
【０００３】
しかしながら、一般に用いられるようなディスプレイ、プロジェクタのダイナミックレンジは画像に対して十分なダイナミックレンジを持っておらず、画像の持つ色や質感を十分に表示することができない。
【０００４】
そこで、表示のダイナミックレンジの拡大を目的として印刷物に対して、プロジェクタ等で投影を行うシステムが提案されている。特許文献１には、印刷物とプロジェクタの投影光を重畳して表示を行うシステムにおいて入力画像を再現するための印刷物とプロジェクタの投影光の決定方法が開示されている。また、印刷物はプロジェクタの投影光が無くても画像を観察することができるため、投影光なしの状態でも画像を鑑賞できる状態にしておき、投影光を照射することで画像の変化を演出するようなことも行われている。
【先行技術文献】
【特許文献】
【０００５】
【特許文献１】特開２０１０−１０３８６３号公報
【発明の概要】
【発明が解決しようとする課題】
【０００６】
投影光なしの状態でも印刷物を鑑賞する場合、印刷物単体の見えと投影光を重畳した状態の双方を考慮して印刷物、投影光を決定する必要がある。重畳した状態で同じ再現となる印刷物と投影光の組み合わせは複数あるため、この組み合わせの中から所望の印刷画像を選択することになる。
【０００７】
上述の特許文献１に開示された従来技術では、ある条件下で入力画像の再現を可能にする印刷物と投影光の組み合わせを決定することはできる。しかしながら、同じ再現を可能にする複数の印刷物と投影光の組み合わせから、印刷物単体としての見えを考慮してユーザーが最適な印刷物を選択することが困難である。
【０００８】
そこで、本発明の目的は、印刷内容と投影内容をユーザーが効率的に決定することを可能にする画像編集装置を提供することにある。
【課題を解決するための手段】
【０００９】
上記の目的を達成するために、本発明に係る画像編集装置は、
印刷物と投影の組み合わせで表示を行うシステムにおける印刷画像と投影画像を生成するための画像編集装置であって、
表示条件を入力する表示条件入力手段と、
使用される機器の特性を入力する機器特性入力手段と、
前記表示条件と、前記使用される使用機器の特性を元に重畳画像を作成し、その重畳画像を表示するための基準の印刷画像と基準の投影画像を作成する印刷／投影画像生成手段と、
前記基準の印刷画像の色成分を変化させるための印刷条件を入力する印刷条件入力手段と、
前記印刷条件と前記使用される使用機器の特性を元に同じ重畳画像を表示し得る複数の印刷候補画像を出力する印刷候補画像生成手段と、
前記重畳画像と前記印刷候補画像とを合わせて表示する表示画像生成手段と、
前記印刷候補画像の一つを選択印刷画像として選択する画像選択入力手段と、
を持ち、前記印刷候補画像生成手段は、前記画像選択入力手段により選択された選択印刷画像とその選択印刷画像に対応する選択投影画像を出力することを特徴とする。
【発明の効果】
【００１０】
本発明によれば、印刷物に投影を行うシステムにおいて、印刷内容と投影内容をユーザーが効率的に決定できる画像編集装置を提供することができる。
【図面の簡単な説明】
【００１１】
【図１】実施例１及び２の構成を示すブロック図
【図２】実施例１の表示画像生成部の生成する画像例
【図３】実施例１の印刷候補画像生成部の処理を説明するフローチャート
【図４】実施例２の表示画像生成部の生成する画像例
【図５】実施例２の印刷候補画像生成部の処理を説明するフローチャート
【発明を実施するための形態】
【００１２】
以下、図面を参照して本発明の実施例を詳細に説明するが、この発明は以下の実施の形態に限定されない。なお、以下の実施の形態は特許請求の範囲に係る発明を限定するものでなく、また実施の形態で説明されている特徴の組み合わせの全てが発明の解決手段に必須のものとは限らない。
【００１３】
なお、本実施例において説明される各機能ブロックは必ずしも個別のハードウェアである必要はない。すなわち、例えばいくつかの機能ブロックの機能は、１つのハードウェアにより実行されても良い。また、いくつかのハードウェアの連係動作により１つの機能ブロックの機能または、複数の機能ブロックの機能が実行されても良い。また、各機能ブロックの機能は、ＣＰＵがメモリ上に展開したコンピュータプログラムにより実行されても良い。
【実施例１】
【００１４】
以下、図１を参照して、本発明の第１の実施例による、画像編集装置について説明する。図１は、本発明の実施例１の画像編集装置の構成を示すブロック図である。
【００１５】
画像編集装置１００は、表示条件入力部１、機器条件入力部２、印刷／投影画像生成部３、印刷候補画像生成部４、印刷条件入力部５、表示画像生成部６、画像選択入力部７からなる。
【００１６】
表示条件入力部１は編集対象になる入力画像に対して、ユーザーの表示条件を決定して入力する。
【００１７】
ユーザーの指定する表示条件とは表示される画像のダイナミックレンジ及び色に関するパラメータで、色温度、最大輝度、色域等が挙げられる。これらのいずれか或いはすべてを指定する。
【００１８】
機器条件入力部２は印刷に使用されるプリンタ及び用紙の特性、投影に使用されるプロジェクタの特性を機器情報として、印刷／投影画像生成部３および印刷候補画像生成部４に入力する。
【００１９】
プリンタ及び用紙の特性とは、あるＣＭＹ値で印刷された時の分光反射率特性であり、プロジェクタの特性はプロジェクタの投射光の分光分布である。
【００２０】
印刷／投影画像生成部３は入力される入力画像と表示条件入力部１に指定された条件及び機器条件入力部２で指定された機器情報を元に重畳画像、基準印刷画像、基準投影画像を生成して印刷候補画像生成部４に送る。重畳画像は印刷と投影を重ね合わせた表示画像であり、ＸＹＺ値で表わされる。また、基準印刷画像と基準投影画像は重畳画像を生成するための一組の印刷画像と投影画像であり、印刷画像はＣＭＹ値で表わされ、投影画像はＲＧＢ値で表わされる。基準印刷画像と基準投影画像は特許文献１の技術を利用することにより重畳画像から求められる。
【００２１】
印刷候補画像生成部４は、印刷／投影画像生成部３から送られた重畳画像、基準印刷画像、基準投影画像と印刷条件入力部５から入力されるユーザー指示に基づいて複数の印刷候補画像を生成し、印刷候補画像リストとして表示画像生成部６に送る。また、印刷候補画像生成部４は重畳画像も表示画像生成部６に送る。
【００２２】
印刷条件入力部５から入力されるユーザー指示は、基準印刷画像の色成分を変化させるものである。この実施例においては印刷物のＣＭＹ値のＣ成分、Ｍ成分、Ｙ成分を変化させるパラメータの組み合わせとして与えられる。例えば、ＣＭＹのそれぞれの成分を変化させる倍率をパラメータとし、それぞれ０．５倍、１．０倍、２倍に変化させる組み合わせを考えると３×３×３の２７通りになる。この２７通りの条件に対して生成された印刷画像の中から、投影画像と組み合わせて重畳画像が表現可能な印刷画像が選択されて印刷候補画像リストとなる。印刷候補画像リストの作成方法の詳細については後述する。
【００２３】
表示画像生成部６は、不図示の画像表示装置に対して、重畳画像と印刷候補画像リストから、重畳画像とそれぞれの印刷候補画像をレイアウトした画面を作成して出力する。また、ＸＹＺ値で表わされている重畳画像とＣＭＹ値で表わされている印刷候補画像を画像表示装置に表示可能なＲＧＢ値に変換する。
【００２４】
図２は、表示装置に表示される重畳画像と候補画像の例を示したものである。
【００２５】
図２において２１は重畳画像、２２は印刷候補画像リストをレイアウトして表示したものである。２７通りの中で空欄になっている部分は、投影画像と組み合わせた時に重畳画像が表現できない印刷画像である。また、中央の点線で囲まれた画像は基準印刷画像である。
【００２６】
ユーザーはこれらの印刷候補画像から色味として好ましいものを選択して決定する。
ユーザーの決定した印刷候補画像を選択印刷画像とする。図２の例では、上から３番目中央の枠で囲まれた画像がユーザーの選択した選択印刷画像である。
【００２７】
選択印刷画像の情報は画像選択入力部７よって印刷候補画像生成部４に送られ、印刷候補画像生成部４は選択印刷画像とこれに対応する投影画像を選択印刷画像及び選択投影画像として出力する。
【００２８】
これらの出力画像はプリンタやプロジェクタに直接送られても良いし、一旦記憶メディアにデータとして記録し、この記録データを元に印刷物と投影画像を作成して重畳することもできる。
【００２９】
印刷候補画像の生成について説明する。
【００３０】
あるＣＭＹ値に対するプリント画像の分光反射率をＲｐｒｎ（ｃ，ｍ，ｙ，λ）とする。
【００３１】
また、プロジェクタの投射光の分光分布はＲ光の分光分布Ｓｐｒｊ（ｒ，λ）とＧ光の分光分布Ｓｐｒｊ（ｇ，λ）およびＢ光の分光分布Ｓｐｒｊ（ｂ，λ）の足し合わせになる。
【００３２】
あるＲＧＢ値のプロジェクタの光とあるＣＭＹ値のプリント画像を重畳した画像に対応するＸＹＺ値、Ｘ（ｒ，ｇ，ｂ，ｃ，ｍ，ｙ）、Ｙ（ｒ，ｇ，ｂ，ｃ，ｍ，ｙ）、Ｚ（ｒ，ｇ，ｂ，ｃ，ｍ，ｙ）は上記のプリント画像の分光反射率とプロジェクタの光の分光分布及び、ＸＹＺ等色関数ｘ（λ）、ｙ（λ）、ｚ（λ）を用いて以下の式で表すことができる。
【００３３】
【数１】
2019129465.tif 000003
【００３４】
上記のプリント画像の分光反射率及びプロジェクタの投影光の分光分布が既知であれば、あるＣＭＹ値を決定した時に、あるＲＧＢ値に対してＸＹＺ値への変換を行うマトリクスを（式１）を用いて求めることができる。
【００３５】
【数２】
2019129465.tif 000004
【００３６】
ｍ１〜ｍ９は求められたマトリクスの係数である。（式２）のマトリクスの逆行列を求めることにより、あるＸＹＺ値を実現するためのＲＧＢ値を求める変換マトリクスＭｒｇｂが求められる。
【００３７】
【数３】
2019129465.tif 000005
【００３８】
本実施例においてはこれらの計算に用いられるプリント画像の分光反射率及びプロジェクタの投影光の分光分布は機器条件入力部２から入力される。従って、重畳画像に対応する印刷画像が決定されると、その印刷画像に対応する投影画像は、印刷画像内の画素それぞれのＣＭＹ値に対して対応する上記変換マトリクスＭｒｇｂを求めてＸＹＺ値をＲＧＢ値に変換することにより求めることができる。この処理をＲＧＢ画像作成処理と呼ぶことにする。
【００３９】
この時、投影画像のすべての画素のＲＧＢ値がプロジェクタに設定可能な値域内（例えば８ｂｉｔで画素値を設定していれば０〜２５５）に入っているならば、その印刷画像に対して作成された投影画像を投影することにより重畳画像が表示できる。
【００４０】
しかし、投影画像の画素に値域内に入っていないＲＧＢ値が存在する場合は、そのような投影画像は現実には作り得ないため、その印刷画像に投影を行って重畳画像を表示することができない。
【００４１】
印刷候補画像生成部４は上記の原理を用いて、印刷候補画像を生成する。
【００４２】
以下にその手順を図３のフローチャートを用いて説明する。
【００４３】
まずＳ２０１で印刷条件入力部５により入力された色変更情報に基づいて、基準印刷画像を変更した印刷画像を複数作成する。
【００４４】
例えば、ＣＭＹのそれぞれの成分をそれぞれ０．５倍、１．０倍、２倍に変化させる組み合わせの場合、３×３×３の２７通りの印刷画像が生成される。
【００４５】
次にＳ２０２ではＳ２０１で生成された印刷画像から一つを選択する
次にＳ２０３ではＳ２０２で選択された印刷画像に対して、前述のＲＧＢ画像作成処理を行い、ＲＧＢの投影画像を算出する。
【００４６】
次にＳ２０４では算出された投影画像の画素のＲＧＢ値がすべて値域に入っているかどうかを判定する。すべて値域内であればＳ２０５へ、値域外の画素がある場合にはＳ    ２０２に戻り次の印刷画像の処理を行う。
【００４７】
Ｓ２０５では投影画像に対応する印刷画像を候補画像としてリストに追加する。
【００４８】
Ｓ２０６においてすべての印刷画像について処理を終えたかを判定し、処理が終わっていればＳ２０７に進み、終わっていなければＳ２０２に戻って次の印刷画像の処理を行う。
【００４９】
Ｓ２０７で完成した印刷候補画像リストを出力し、終了する。
【００５０】
なお、上記説明では、印刷条件としてＣＭＹの成分をそれぞれ３通りに変化させる例を示したが、ユーザーの決めた条件で複数の印刷条件を設定することができれば、どのように条件を設定しても良い。例えば３通り以上に変化させる、特定の成分のみを変化させる、単純に係数をかけるのではなく階調変換曲線に従って変化させる等も可能である。
また、印刷候補画像判定時に対応する投影画像のＲＧＢ値がすべて値域内にあることを判定条件としたが、値域外になる画素が少ない場合には見た目に影響がほとんどないため許容される場合もある。このような場合は適当な閾値を設定して、値域外になる画素数が閾値以下であることを判定条件としても良い。
【００５１】
以上、説明したように本発明の画像編集装置を用いれば、ユーザーは重畳画像に対応する印刷画像を異なる見えの一覧から選ぶことにより決定でき印刷内容と投影内容を効率的に決定することができる。
【実施例２】
【００５２】
実施例２の画像編集装置の構成は図１に示す実施例１の構成と同じであり、実施例２が異なるのは印刷候補画像生成部４及び印刷条件入力部５の動作である。
【００５３】
以下、図４，図５を用いて実施例２の画像編集装置について説明する。
【００５４】
実施例２が実施例１と異なるのは印刷候補画像生成部４が表示画像生成部６に対し、印刷候補画像リストではなく、単独の画像として送る点であり、印刷条件入力部５の入力する印刷条件が複数の画像を生成するパラメータの組ではなく、パラメータの値となっている点である。
【００５５】
図４（ａ）は、本実施例における表示画像生成部６が生成する画面の例である。
【００５６】
重畳画像５１が表示されているのは実施例１と同様であるが、実施例１と異なり、印刷候補画像５２は画像群ではなく単一の画像として表示され、印刷条件入力部５の表示するパラメータ入力インターフェース５３が表示されている。
【００５７】
ユーザーはパラメータ入力インターフェース５３を用いて印刷候補画像のパラメータ（印刷条件）を変更する。本実施例の場合、Ｃ、Ｍ、Ｙそれぞれの成分が基準印刷画像に対して何倍になるかを入力する。
【００５８】
入力したパラメータは印刷条件入力部５より印刷候補画像生成部４に送られる。
【００５９】
印刷候補画像生成部４は入力されたパラメータに対応する印刷画像を作成した時に、重畳画像を実現するための投影画像が作成し得る場合にはその印刷候補画像を表示画像生成部６に送る。一方、重畳画像を実現する投影画像が作成し得ない場合には印刷候補画像が無いことを通知する。
【００６０】
表示画像生成部６はこれらの画像を元に表示画像を生成して不図示の画像表示装置に送る。図４（ａ）は印刷候補画像がある時の表示であり、図４（ｂ）は印刷候補画像が無い時の表示である。
【００６１】
ユーザーはこの画面上で印刷候補画像の色味を確認し、印刷候補画像が所望の色味に調整できたらパラメータ入力インターフェース５３に表示されている決定ボタンを押すことにより、選択印刷画像を決定する。
【００６２】
選択印刷画像が決定された後の処理は実施例１と同様である。
【００６３】
以下、図５に示すフローチャートに基づいて本実施例の印刷候補画像生成部４の処理について説明する。
【００６４】
Ｓ５０１で入力された基準印刷画像に対して、印刷条件入力部５から入力されるパラメータで変更を行った印刷画像を生成する。
【００６５】
次に、Ｓ５０２において生成された印刷画像に対応する投影画像を生成する。生成方法は実施例１と同様である。
【００６６】
次に、Ｓ５０３において生成された投影画像のＲＧＢ値がすべて値域内かを判定し、値域内であればＳ５０４へ、そうでなければＳ５０５へ進む。
【００６７】
Ｓ５０４ではＳ５０１で生成された印刷画像を印刷候補画像として表示画像生成部６に送る。
【００６８】
Ｓ５０５では表示画像生成部６に印刷候補画像が無いことを通知する。
【００６９】
以上、説明したように本発明の画像編集装置を用いれば、ユーザーは求める重畳画像に対応する印刷画像の見えを、パラメータを細かく調整しながら決定でき、印刷内容と投影内容を効率的に決定することができる。
【符号の説明】
【００７０】
１  表示条件入力部、２  機器条件入力部、３  印刷／投影画像生成部、
４  印刷候補画像生成部、５  印刷条件入力部、６  表示画像生成部、
７  画像選択入力部
【図１】
2019129465.tif 000006
【図２】
2019129465.tif 000007
【図３】
2019129465.tif 000008
【図４】
2019129465.tif 000009
【図５】
2019129465.tif 000010